(57)【要約】【課題】  ピッキング操作による被害が多い、ディスクシリンダー錠に関して、ピッキング操作による開錠が困難な、ディスクシリンダー錠を提供する。【解決手段】  ディスクシリンダー錠の、外筒（１）の内側に、４角形状の歯形の内歯爪車状の形状を、形成して出来た、外筒（１）の中心軸に平行な多数の４角形状の溝を、外筒内側の溝（１３）として設け、内筒（２）に、外筒内側の溝（１３）の形状に合わせた端部（１４）のあるディスク（４）を設けた機構を施錠するために使用する、ディスクシリンダー錠【選択図】図１
2011157806.tif 000002
【特許請求の範囲】
【請求項１】
外筒（１）の内側に、４角形状の歯形の内歯爪車状の形状を、形成して出来た、外筒（１）の中心軸に平行な多数の４角形状の溝を、外筒内側の溝（１３）として設け、内筒（２）に、外筒内側の溝（１３）の形状に合わせた端部（１４）のあるディスク（４）を設けてなるディスクシリンダー錠である。
【発明の詳細な説明】
【技術分野】
【０００１】  本発明は、ディスクシリンダー錠に関し、正規の鍵でないものを使用して開錠するピッキング操作の行為が困難な機能を持たせた、ディスクシリンダー錠である。
【背景技術】
【０００２】  従来のディスクシリンダー錠は、概念図  図２の如く、内筒（０２）とその外側に位置する外筒（０１）を主な機構としてなりたっており、外筒（０１）を施錠しようとする物に取り付けて、外筒（０１）の内側にある内筒（０２）に鍵（６）を挿入して回転させることにより施錠または開錠させる物である。
従来のディスクシリンダー錠は、中に内筒（０２）が収まっている外筒（０１）の内側に、外筒（０１）の中心軸を対称の中心とする点対称的な位置に、外筒（０１）の中心軸に平行な２本の溝（０１３）が施錠のために付けられている。
内筒（０２）は、その内部に内筒（０２）の中心軸と直角の方向にすべることが出来る板状の部品が設置されている。この従来のディスクシリンダー錠の板状の部品をディスク（０４）と称し以後同様とする。また、この従来のディスクシリンダー錠のディスク（０４）とは、図６、図７の様なものであり、鍵（６）が挿入される空洞（１０４）が開けられている、通常複数のディスク（０４）を１組として構成されているが、この場合のディスク（０４）には図７の様に、形状は同じであるが、それぞれの位置が異なる空洞（１０４）が開けられている。
従来のディスクシリンダー錠は、鍵（６）が挿入されていない時には、ディスク（０４）がスプリング（０５）により外筒（０１）の内側の溝（０１３）まで移動して、外筒（０１）の内側の溝（０１３）に収まることで、ディスク（０４）が外筒（０１）と内筒（０２）の間に挿入された閂の様な作用をして内筒（０２）が回らない構造になっている。
正規の鍵（６）を挿入すると、設置されている全てのディスク（０４）が内筒（０２）内に収まり内筒（０２）が回転可能となり、開錠出来るのである。
正規でない鍵を挿入した場合は、全てのディスク（０４）が内筒（０２）内に収まらず、内筒（０２）が回転出来ないために開錠出来ない。
但し、ピッキング操作等の何らかの外部的操作により、全てのディスク（０４）を内筒（０２）内に収めてしまえば、正規の鍵（６）によらなくても、開錠が可能である。
これを図面により説明する。図２、図３、図４は従来のディスクシリンダー錠の、ディスク（０４）が５本の場合の概念的な断面図で、図２は施錠された状態を示している。図３は正規の鍵（６）を挿入した状態で、開錠出来る状態を示している。図４は従来のディスクシリンダー錠が、ピッキング用具（Ｙ）によるピッキング操作で、ディスク（０４）の全てが内筒（０２）内に収まって、図３の様になった状態の概念図で、この図４の様な状態に出来れば、正規の鍵（６）を使用しなくても開錠が可能である。図５は、施錠の状態から開錠の方向に内筒（０２）内を移動するディスク（０４）が開錠の位置よりもさらに移動した状態の概念図で、鍵（６）の出し入れの場合や正規でない鍵を挿入した場合にこの状態になることがある。この場合には内筒（０２）外に出たディスク（０４）が内筒（０２）の回転の障害となるので開錠出来ない。
次に、ピッキング用具（Ｙ）などによるピッキング操作の手順を示す。
従来のディスクシリンダー錠に対してピッキング行為を実行する場合には、内筒（０２）に対して、開錠する回転方向に少し圧力を加えながら、鍵穴よりピンセット等のピッキング用具（Ｙ）を挿入してディスク（０４）の位置を調整していくと、図４の如く、正規の鍵（６）を挿入した時の図３の様に全てのディスク（０４）が内筒（０２）内に収まり内筒（０２）と外筒（０１）の契合が解除される、この状態になると、内筒（０２）には開錠する回転方向に圧力が加えられているので内筒（０２）は開錠する回転方向に回転して、開錠する。尚前記中の、（開錠する回転方向）を以後、（開錠方向）と称する。
【発明の開示】
【発明が解決しようとする課題】
【０００３】  従来のディスクシリンダー錠は、内筒（０２）が中に収まっている外筒（０１）の内側に、外筒（０１）の中心軸を対称の中心とする点対称的な位置に、外筒（０１）の中心軸と並行な２本の溝（０１３）が施錠のために付けられているが、施錠の役目をするのは１本の溝（０１３）だけで、その反対側の溝（０１３）は、開錠の状態を維持するためにこの溝（０１３）を使用することがあるためと、鍵（６）の出し入れの時や、正規でない鍵を挿入した場合に、ディスク（０４）が、施錠の位置から開錠する方向に移動する場合に開錠の位置を通り越して、内筒（０２）の外にでることがあるので必要なのであって、事実上は１本の溝（０１３）とディスク（０４）の組み合わせと同様であり、ピッキング操作１回の成功で開錠可能である。この、従来のディスクシリンダー錠の、ピッキング操作による、不正な開錠に対する脆弱性を改善することは防犯と言う観点から、非常に大きな課題である。
本発明は、従来のディスクシリンダー錠のピッキング操作による、不正な開錠に対する脆弱性を改善することを目的としている。
【課題を解決するための手段】
【０００４】  従来のディスクシリンダー錠は、内筒（０２）が中に収まっている外筒（０１）の内側に、外筒（０１）の中心軸を対称の中心とする点対称的な位置に、外筒（０１）の中心軸に平行な２本の溝があり、この溝を、施錠するために用いるのが通例である。
本発明では、従来のディスクシリンダー錠の外筒（０１）に相当する、本発明のディスクシリンダー錠の外筒を、図８、図９、の様に外筒（１）と称し、（以後同様とする）、この外筒（１）の内側に、４角形状の歯形の内歯爪歯車状の形状を、形成して出来た、外筒（１）の中心軸に平行な多数の４角形状の溝を、施錠するために使用する（この溝は複数個とする）。
この施錠するための溝は、概念図  図１０に示す如きもので、図９、の外筒内側の溝（１３）はこの溝である。
従来のディスクシリンダー錠の内筒（０２）に相当する、本発明のディスクシリンダー錠の内筒を図８、図９、の様に内筒（２）と称し（以後同様とする）、この内筒（２）内の、従来のディスクシリンダー錠のディスク（０４）と、概ね同様に機能する本発明のディスクシリンダー錠のディスク（ディスク（４）と称し、以後同様とする。）は、その端部の形状を、概念図  図１０が示す、外筒内側の溝（１３）の形状に合わせた、概念図  図１１の様にする。
【発明の効果】
【０００５】  本発明を使用することによって得られる効果。
従来のディスクシリンダー錠は、１回のピッキング操作の成功により開錠することが可能であるが、本発明のディスクシリンダー錠に対してのピッキング操作では、次に述べる様な状態になる、図１２、図１３、図１４、図１５、に示す様に、開錠のさいの開錠方向が、時計回りの場合で説明すると、ピッキング操作の初期の行為が成功して、内筒（２）内のディスク（４）が、概念図  図１２の施錠状態から概念図  図１３の開錠状態の様になり、ディスク（４）の位置が開錠の状態となっても、ピッキング操作では常に開錠方向に圧力が加えられているので、内筒（２）はさらに開錠方向に回転して、ディスク（４）の位置は、概念図  図１４から概念図  図１５の状態となり、開錠方向の隣の溝にディスク（４）が収まって施錠の状態となり、ピッキング操作は不成功となる。さらに、ピッキング操作で開錠行為を続けるには、ピッキング操作の工程を最初から始めなければならない。
開錠のさいの開錠方向が、反時計回りの場合も、内筒（２）の回転方向が逆方向と成る以外同様である。
（尚、図１６は、施錠の状態から開錠の方向に内筒（２）内を移動するディスク（４）が開錠の位置よりもさらに移動した状態の概念図で鍵の出し入れや正規でない鍵を挿入した場合にこの状態になることがある。）
前記の様に、本発明のディスクシリンダー錠をピッキング操作によって開錠するには、開錠するまでピッキング操作を幾度も繰り返すことになる。
本発明のディスクシリンダー錠の、内筒（２）が中に収まっている外筒（１）の内側に、４角形状の歯形の内歯爪車状の形状を、形成して出来た、外筒（１）の中心軸に平行な多数の４角形状の溝を、施錠するために使用することで、ピッキング操作による、本発明のディスクシリンダー錠に対する、不正な開錠を困難にする効果がえられる。
【発明を実施するための最良の形態】
【０００６】  本発明の実施例を述べる。
従来のディスクシリンダー錠の内筒（０２）に相当する、本発明のディスクシリンダー錠の内筒（２）が中に収まっている、従来のディスクシリンダー錠の外筒（０１）に相当する、本発明のディスクシリンダー錠の外筒（１）の内側に、４角形状の歯形の内歯爪車状の形状を、形成して出来た、外筒（１）の中心軸に平行な多数の４角形状の溝を（この溝は複数個とする）、施錠するために使用する。
この施錠するための溝は、概念図  図１０の外筒（１）の断面図が示す、外筒内側の溝（１３）のことである。
従来のディスクシリンダー錠の内筒（０２）に相当する、本発明のディスクシリンダー錠の内筒（２）内の、従来のディスクシリンダー錠のディスク（０４）と、概ね同様に機能する本発明のディスクシリンダー錠のディスク（４）は、その端部の形状を、外筒内側の溝（１３）に合わせた、概念図  １１の様にする。
本発明は、前記の機構を要素とした形態である。
【産業上の利用可能性】
【０００７】  現在、社会は治安が悪化しており、防犯上有効な錠前が求められている。本発明は比較的簡単な構造で、従来の製品との部品の互換性も高く、比較的安価に製造可能な、防犯上有効なディスクシリンダー錠である。
【図面の簡単な説明】
【０００８】
【図１】  本発明の、ディスクシリンダー錠の１部切り欠きの分解斜視図（概念図）である。
【図２】  従来の、ディスクシリンダー錠のディスクが５本の場合の断面図（概念図）である。Ａは内部構造を示す正面断面図、Ｂは内部構造を示す側面断面図である。
【図３】  従来のディスクシリンダー錠に正規の鍵を挿入した状態の断面図（概念図）である。Ｃは正面からの内部の概念図、Ｄは側面からの内部の概念図である。
【図４】  従来の、ディスクシリンダー錠のピッキング操作の成功時の断面図（概念図）である。Ｅはディスクの全てが内筒内に収まった状態図、Ｆはピッキング用具の使用状態である。
【図５】  従来の、ディスクシリンダー錠のディスクが施錠の位置から開錠の方向に移動し、開錠の位置を通り越して、ディスクの端部が内筒外に出た状態の断面図（概念図）である。
【図６】  従来の、ディスクシリンダー錠のディスクと空洞の概念図である。
【図７】  複数のディスクを１組とした場合の空洞の位置の概念図である。
【図８】  本発明の、ディスクシリンダー錠の１部切り欠きの側面図（概念図）である。
【図９】  図８のＵ−Ｕ’の断面図である。
【図１０】  本発明の、ディスクシリンダー錠の外筒の断面図（概念図）である。
【図１１】  本発明の、ディスクシリンダー錠のディスクの概念図である。
【図１２】  本発明の、ディスクシリンダー錠のピッキング操作時のディスクの動きの状態図で、施錠状態の位置にある場合である。
【図１３】  本発明の、ディスクシリンダー錠のピッキング操作時のディスクの動きの状態図で、開錠状態の位置にある場合である。
【図１４】  本発明の、ディスクシリンダー錠のピッキング操作時のディスクの動きの状態図で、内筒が図１３の位置よりも開錠方向に少し回転した位置にある場合である
【図１５】  本発明の、ディスクシリンダー錠のピッキング操作時のディスクの動きの状態図で、内筒が図１４の位置よりもさらに開錠方向に回転した場合である。
【図１６】  本発明の、ディスクシリンダー錠のディスクが施錠の位置から開錠の方向に移動し、開錠位置を通り越して、内筒外に出た状態の断面図（概念図）である。
【符号の簡単な説明】
【０００９】０１３    従来のディスクシリンダー錠の外筒内側の溝
０１    従来のディスクシリンダー錠の外筒
０２    従来のディスクシリンダー錠の内筒
０３    従来のディスクシリンダー錠の固定ナット
０４    従来のディスクシリンダー錠のディスク
０５    従来のディスクシリンダー錠のスプリング
１０４    空洞
１    外筒
２    内筒
３    固定ナット
４    ディスク
５    スプリング
６    正規の鍵
７    ストッパーカム
８    カム
９    ワッシャ
１０    ロックワッシャ
１１    固定ボルト
１２    ストッパーピン
１３    外筒内側の溝
１４    ディスクの端部
Ｙ    ピッキング用具
【図１】
2011157806.tif 000003
【図２】
2011157806.tif 000004
【図３】
2011157806.tif 000005
【図４】
2011157806.tif 000006
【図５】
2011157806.tif 000007
【図６】
2011157806.tif 000008
【図７】
2011157806.tif 000009
【図８】
2011157806.tif 000010
【図９】
2011157806.tif 000011
【図１０】
2011157806.tif 000012
【図１１】
2011157806.tif 000013
【図１２】
2011157806.tif 000014
【図１３】
2011157806.tif 000015
【図１４】
2011157806.tif 000016
【図１５】
2011157806.tif 000017
【図１６】
2011157806.tif 000018